【事件の表示】
　平成１０年特許願第３０４４３６号「生体リズム診断セット」拒絶査定不服審判事件〔平成１２年　５月　９日出願公開、特開２０００−１２７６５５〕について、次のとおり審決する。
【結　論】
　本件審判の請求は、成り立たない。
【理　由】
第１　手続の経緯 
　本願は、出願日が平成１０年１０月２６日の出願であって、平成１６年１２月２７日付けで拒絶査定がなされ、これに対し、平成１７年２月１０日付けで拒絶査定に対する審判請求がなされるとともに、同年３月９日付けで明細書についての手続補正（以下、「本件補正」という。）がなされたものである。 
　 
第２　補正の却下の決定 
［補正の却下の決定の結論］ 
　平成１７年３月９日付けの手続補正を却下する。 
　 
［理由］ 
１．本件補正の内容及び目的 
　本件補正に先立つ手続補正は、平成１６年３月２５日付けのものである。
　そこで、当該平成１６年３月２５日付け手続補正書により補正された特許請求の範囲記載と、本件補正に係る特許請求の範囲記載とを対比して、本件補正の内容及び目的の適否について以下検討する。
　
　本件補正は、平成１６年３月２５日付け手続補正書に記載される特許請求の範囲
「【請求項１】　生体リズムの影響によって女性のからだに周期的に表われる症状を把握してカウンセリングを行うために用いられる生体リズム診断セットであって、上記生体リズムの影響による典型的な症状を少なくとも５つ列挙して示すチェックシート（Ａ）と、少なくとも一カ月分の日付を記入する欄が設けられ、各日付ごとに、月経の状態と、上記シート（Ａ）に示された症状のうち自覚した症状の有無と、基礎体温の変化が折れ線グラフとして記入できるようになっている記録シート（Ｂ）とで構成されており、上記記録シート（Ｂ）において、月経の状態を記入する欄に、少なくとも３段階の棒グラフ状に経血量を記入できる欄が設けられているとともに、自覚症状の有無を記入する欄が、身体症状と、精神症状と、皮膚症状の３種類に区分されていることを特徴とする生体リズム診断セット。
【請求項２】　請求項１記載のチェックシート（Ａ）および記録シート（Ｂ）とともに、生体リズムの影響による症状を軽減させるために自分でできる手当てを少なくとも５つ列挙して示すセルフケアシート（Ｃ）を組み合わせるようにしたことを特徴とする生体リズム診断セット。
【請求項３】　上記チェックシート（Ａ）に、月経前症候群の症状を列挙して示す表示部と、更年期症候群の症状を列挙して示す表示部とが設けられており、上記セルフケアシート（Ｃ）に、月経前症候群の症状を軽減させるための手当てを列挙して示す表示部と、更年期症候群の症状を軽減させるための手当てを列挙して示す表示部とが設けられている請求項２記載の生体リズム診断セット。」
を、
「【請求項１】　生体リズムの影響によって女性のからだに周期的に表われる症状を把握してカウンセリングを行うために用いられる生体リズム診断セットであって、上記生体リズムの影響による典型的な症状を少なくとも５つ列挙して示すチェックシート（Ａ）と、少なくとも一カ月分の日付を記入する欄が設けられ、各日付ごとに、月経開始からつぎの月経開始までの日数をカウントする欄と、経血量を、少なくとも３段階の棒グラフ状に記入する欄と、基準体重からの体重の変動を±で記入する欄と、上記シート（Ａ）に示された症状のうち自覚した症状の有無を、身体症状と、精神症状と、皮膚症状の３種類に区分して記入できる欄とが設けられているとともに、上記自覚症状の有無を記入する欄の罫線を利用して体温の高さを示す目盛りが付され、基礎体温の変化が折れ線グラフとして記入できるようになっている記録シート（Ｂ）とで構成されていることを特徴とする生体リズム診断セット。
【請求項２】　請求項１記載のチェックシート（Ａ）および記録シート（Ｂ）とともに、生体リズムの影響による症状を軽減させるために自分でできる手当てを少なくとも５つ列挙して示すセルフケアシート（Ｃ）を組み合わせるようにしたことを特徴とする生体リズム診断セット。
【請求項３】　上記チェックシート（Ａ）に、月経前症候群の症状を列挙して示す表示部と、更年期症候群の症状を列挙して示す表示部とが設けられており、上記セルフケアシート（Ｃ）に、月経前症候群の症状を軽減させるための手当てを列挙して示す表示部と、更年期症候群の症状を軽減させるための手当てを列挙して示す表示部とが設けられている請求項２記載の生体リズム診断セット。」
と補正する内容を含むものである。
　 
　本件補正前後の特許請求の範囲を対比すると、本件補正前の請求項１における「記録シート（Ｂ）」に係る特定を、本件補正後の【請求項１】では、
「少なくとも一カ月分の日付を記入する欄が設けられ、各日付ごとに、月経開始からつぎの月経開始までの日数をカウントする欄と、経血量を、少なくとも３段階の棒グラフ状に記入する欄と、基準体重からの体重の変動を±で記入する欄と、上記シート（Ａ）に示された症状のうち自覚した症状の有無を、身体症状と、精神症状と、皮膚症状の３種類に区分して記入できる欄とが設けられているとともに、上記自覚症状の有無を記入する欄の罫線を利用して体温の高さを示す目盛りが付され、基礎体温の変化が折れ線グラフとして記入できるようになっている記録シート（Ｂ）とで構成されている」なる特定とすることで、
補正前には「少なくとも３段階の棒グラフ状に経血量を記入できる欄が設けられている」と特定されていた「月経の状態を記入する欄」について、これが、「月経開始からつぎの月経開始までの日数をカウントする欄」及び「経血量を、少なくとも３段階の棒グラフ状に記入する欄」からなるとする補正事項（以下、「補正事項１」という。）と、
補正前に特定のなかった「基準体重からの体重の変動を±で記入する欄」を新たに追加する補正事項（以下、「補正事項２」という。）と、
補正前には「基礎体温変化が折れ線グラフとして記入できるようになっている」とされていた特定に関して、「上記自覚症状の有無を記入する欄の罫線を利用して体温の高さを示す目盛りが付され、基礎体温の変化が折れ線グラフとして記入できるようになっている」とする補正事項（以下、「補正事項３」という。）とを含むものである。
　
　ここで、補正事項１は、補正前に存在する「月経の状態を記入する欄」について、本願明細書に記載根拠のある、当該欄の詳細を明らかにするものであるから、特許請求の範囲を減縮する目的とするものと認める。
　次に、補正事項３は、補正前の「基礎体温変化が折れ線グラフとして記入できる」とする特定の内容が、本願明細書に記載根拠のある、「上記自覚症状の有無を記入する欄の罫線を利用して体温の高さを示す目盛りが付され」ていることによることを明らかにするものであるから、特許請求の範囲を減縮する目的とするものと認める。
　最後に、補正事項２に係る「基準体重からの体重の変動を±で記入する欄」を新たに設ける点は、本願明細書に記載根拠はあるものの、補正前のいずれの特定事項に係るものかが定かでなく、特許請求の範囲の減縮を目的とするものか不明であり、又、審査官が拒絶査定となした平成１６年１月２０日付け拒絶理由通知書に記載された理由が記載不備を指摘するものでないことから、明りようでない記載の釈明を目的とするものとはいえず、更に、誤記の訂正を目的とするものともいえないことから、厳密にみた場合には、適正な補正目的か定かでないものの、前記補正事項１及び３のように、本件補正には特許請求の範囲の減縮を目的とする補正事項が存在することに鑑み、補正された請求項１に係る発明について、これが独立特許要件を備えるか否かについて、以下検討する。
　
２．補正発明の認定 
　本件補正後の請求項１に係る発明（以下、「補正発明」という。）は、本件補正により補正された特許請求の範囲【請求項１】（前記「１．本件補正の内容及び目的」に示したもの。）に記載されたとおりのものと認める。　 
　 
３．補正発明の独立特許要件の判断 
　以下、補正発明が、特許出願の際独立して特許を受けることができるものかどうかを検討する。 
　  
３−１　引用文献１：実願昭６０−３３２６８号（実開昭６１−１４８６６８号）のマイクロフィルムの記載事項 
　
　ア．実用新案登録請求の範囲
「(1)  年月日欄、体温欄、月経周期欄、及び備考欄を有し、左端部及び／又は右端部にこれらの表示部を設け、中央部に複数の縦線により細分した記入項を有する記入部を設けて成る基礎体温表において、前記体温欄に０．１°Ｃ単位で横方向に体温表示線を付すと共に、前記体温欄の各記入項内に縦方向に０．０１°Ｃ単位で点を施して成る体温記入点線を設け、この体温記入点線上に基礎体温を記入するようにしたことを特徴とする基礎体温表。
(2)  前記記入部の各近接する２本の体温表示線間の部位に色彩を施すと共に、隣接する部位との色彩を異ならしめたことを特徴とする実用新案登録請求の範囲第１項に記載の基礎体温表。」
　
　イ．「基礎体温とは、内蔵の働きが最も静かな状態にある熟睡時の体温をいうが、熟睡時の体温は自分では測定できないので、通常朝目が覚め体を動かす前の熟睡時に最も近い状態の体温を基礎体温として用いている。
　この基礎体温を毎朝きちんと測定し、基礎体温表に記入して基礎体温曲線を作成していくと、排卵日、妊娠しやすい日、次の月経の開始日、妊娠の早期発見等、微妙な体温の変化から色々なことがわかる。」（２頁３〜１２行）
　
　ウ．「〔実施例〕
　以下、本考案を図面に示す実施例に基づき具体的に説明する。
　１は基礎体温表であり、第１図に示す如く、上段から下段に向けて、年月日欄２、曜日欄３、体温欄４、月経周期欄５、記号欄６、及び備考欄７を設けてある。そして、基礎体温表１の左端部及び／又は右端部に表示部８，８を設け、前記年月日欄２、曜日欄３、温度欄４、月経周期欄５、記号欄６、及び備考欄７の表示を付してある。尚、年月日欄２乃至備考欄７の配列は図示のものに限られず、例えば月経周期欄５を曜日欄３と温度欄４との間に配する等適宜変更してもよい。
　基礎体温表１の両表示部８，８間に挟まれた中央部には記入部９を設けてある。記入部９は、所望の日数、例えば80日乃至120日分の基礎体温を記入できるように、縦線により区分して記入項10，10…を設けてある。記入項10，10…は、例えば5項毎に赤線を施すなどして見易くするとよい。
　年月日欄２は、第１図に示す如くこれを一つの欄として構成してもよいが、年、月、日の各欄に区分したり、年月と日に二分して構成したり、或いは、第３図に示す従来例と同様、年のみを基礎体温表の表示部８，８のみに設け、月と日の二つの欄を設けることにより構成してもよい。
　曜日欄３は、これを設けておくと便利であるが、省略してもよい。
　体温欄４は、所望の範囲、例えば35.50℃乃至37.20℃の範囲を設ける。そして、この体温範囲を0.1℃単位で区分して表示部８，８に0.1℃単位の体温表示を付してある。尚、この表示部８，８には、排卵目盛（OV）を設けてもよい。この排卵目盛（OV）とは、35.50℃乃至37.2℃の範囲を0.05℃単位で数字に置き換えた目盛である。
　体温欄４の記入部９には、各表示体温（0.1℃単位）に相応して横方向に実線により体温表示線１１，１１…を付してある。この体温表示線１１，１１…中、一般に低温期と高温期の境界線となる36.70℃に相当する表示線を太線で構成すると、低温期と高温期の境界が一見して分かり好ましい。又、体温表示線１１，１１…を0.5℃単位で、例えば35.50℃及び36.5℃の表示線を細い赤線で、36.70℃に相当する表示線を太線で構成するなどして、他の表示線と態様を異ならしめると、体温表示線１１，１１…を識別しやすくなり好ましい。更に、各近接する２本の体温表示線１１，１１…間の部位に色彩を施すと共に、隣接する部位との色彩を異ならしめると、より一層識別しやすくなり、好ましい。
　体温欄４の各記入項１０内には、その中央部に縦方向に0.01℃単位で点を施した点線により構成される体温記入様点線１２を設けてある。この体温記入用点線１２は、各0.05℃に相当する点を大きい点により構成すると、基礎体温を記入する際に見易く好ましい。
　月経周期欄５は、月経開始日からの日数を記入すればよい。
　記号欄６は、第１図の右上部に示す如く、月経を×、下腹痛を△、不正出血を▲等の記号で表示し、これらの記号を記入する。尚、記号欄６は、かかる記号を２種類以上記入できるように縦長さを考慮して定める。
　備考欄７は、例えば睡眠不足、検温時刻のズレ、服用した薬等を記入すればよい。
　尚、基礎体温表は、用紙の表裏両面に設けると１枚の用紙に記入項を多く記載することができ好ましい。」（４頁１４行〜８頁１行）
　
　前記イ記載には、基礎体温を毎朝きちんと測定することで、生体リズムの影響によって女性のからだに表れる症状を把握できると記載されている。
　そして、前記ア記載の如くに、当該引用文献１には、この基礎体温を記入するための基礎体温表が開示されている。
　前記ウ記載によれば、当該引用文献１に係る基礎体温表には、年月日欄２、曜日欄３、体温欄４、月経周期欄５、記号欄６、及び備考欄７が設けられており、これら欄の別は、左端部及び右端部に表示部８，８により表示されており、これら表示部８，８に挟まれた中央部には所望日数（80日乃至120日と例示されている。）の基礎体温が記入できる記入部９が設けられている。
　そして、体温欄４の記入部９には、各表示体温（0.1℃単位）に相応して横方向に実線により体温表示線１１，１１…が付されており、更に、体温欄４の各記入項１０内には、その中央部に縦方向に0.01℃単位で点を施してあり、体温を記入し易く構成されている。
　また、月経周期欄５は、月経開始日からの日数を記入するものとされる。
　
　してみれば、当該引用文献には、以下の発明が記載されているといえる。
「生体リズムの影響によって女性のからだに周期的に表われる症状を把握するための基礎体温表であって、
　所望日数（80日乃至120日）の日付を記入する欄が設けられ、各日付ごとに、月経開始日からの日数を記入する月経周期欄が設けられ、左端部及び右端部に表示された表示体温に相応して横方向に実線により体温表示線が付されており、基礎体温の変化を記入できるようになっている基礎体温表。」（以下、「引用発明」という。）
　
３−２　引用文献２：実願昭５８−１９００２１号（実開昭６０−９６６７４号）のマイクロフィルムの記載事項 
　
　エ．実用新案登録請求の範囲
「飲食物に関する質問を示す欄、該質問に対する解答例を示す欄及び解答を表示する欄を有する欄並びに自覚しうる症状に関する質問を示す欄、該質問に対する解答例を示す欄及び解答を表示する欄を有する欄を設けたことを特徴とする栄養カード。」
　
　オ．「本考案は、飲食物の成分含有率等のデータを記憶するコンピュータに対して入力する設問事項を、栄養を管理する上で、最も合理的にまとめて、コンピュータによる栄養管理を容易にしたものである。
　すなわち、本考案は、飲食物に関する質問を示す欄、該質問に対する解答例を示す欄及び解答を表示する欄を有する欄並びに自覚しうる症状に関する質問を示す欄、該質問に対する解答例を示す欄及び解答を表示する欄を有する欄を設けたことを特徴とする栄養カードにある。」（２頁１４行〜３頁４行）
　
　カ．「本考案の栄養カードは、板紙状のものから各種印刷用紙、筆記用紙等のように、容易に印刷できて、筆記具により記載できるものであれば如何なる種類のものであってもよく、該カードは、適宜枚数重ねて綴るようにしてもよい。
　該カードに設けられる欄の中、一方の欄の質問事項を第一の頁に作成し、他方の欄を第二頁以下に作成するのが項目が多数表示できるので好ましい。しかし、このカードに設けられる欄の総てを、一頁に納るように作成すると、以後の処理操作がし易く好ましいが、項目数が増加すると読みにくくなりかつ記入しにくくなるので、質問数等が制限される嫌いがある。
　また、該カードには、整理番号表示欄、モード表示欄、氏名欄、性別欄、年令欄、記入日欄、身長表示欄、女性の場合の妊娠の有無の表示欄、妊娠の月数等を表示する欄及びコンピュータ解析結果表示欄等を必要に応じて適宜選択して設けることができる。欄の大きさ、欄内の行間の大きさ、解答例の数並びに解答表示枠の大きさ及び位置は、質問の内容に応じて適宜変更することができる。」（３頁５行〜４頁６行）
　
キ．「第１図は、本考案の栄養カードの一実施例を示す平面図であって、総ての欄が一頁に納るように設けられているのを示すものである。第２図は、本考案の栄養カードが、二頁に亘って欄が設けられている別の一実施例の第１頁の平面図を示すものであり、第３図は、その第２頁を示す平面図である。」（第５頁７〜１３行）
　
　上記記載から、当該引用文献２には、健康関連のチェックシートに係るものであるが、栄養状態の表示とともに、自覚症状をチェックする項目を設けたものが、開示されている。
　また、チェックシートを一頁に納まるように作成すると、以後の処理操作がし易く好ましいが、項目数が増加すると読みにくくなりかつ記入しにくくなるので、質問数等が制限される嫌いがあり、チェック項目の多寡に応じて、適宜頁数のものとしてもよいことが記載されている。
　
３−３　補正発明と引用発明との対比 
　補正発明と引用発明を対比すると、引用発明の「基礎体温表」は、生体リズムの影響によって女性のからだに周期的に表われる症状を把握するためのものであって、基礎体温の変化を記入できるものであるから、少なくとも、補正発明の「記入シート（Ｂ）」に相当する。
　そして、引用発明の「基礎体温表」には、「所望日数の日付を記入する欄」があり、これには、例示される如く、80日乃至120日が記入できるものであるから、補正発明の「少なくとも一カ月分の日付を記入する欄」に相当する。
　また、引用発明の「月経周期欄」は、月経開始日からの日数を記入するものであり、当然につぎの月経開始日までの日数をカウントするものといえるから、補正発明の「月経開始からつぎの月経開始までの日数をカウントする欄」に相当する。
　更に、引用発明の「体温表示線」が、補正発明の「体温の高さを示す目盛り」に相当することも明らかである。
　
　してみれば、両者は、
【請求項１】　生体リズムの影響によって女性のからだに周期的に表われる症状を把握するための記入シートであって、少なくとも一カ月分の日付を記入する欄が設けられ、各日付ごとに、月経開始からつぎの月経開始までの日数をカウントする欄と、体温の高さを示す目盛りが付され、基礎体温の変化が記入できるようになっている記録シート（Ｂ）。
である点で一致するものの、
　以下の点において相違している。
　 
＜相違点１＞ 
　補正発明は、「生体リズムの影響によって女性のからだに周期的に表われる症状を把握してカウンセリングを行うために用いられる生体リズム診断セット」であって、「上記生体リズムの影響による典型的な症状を少なくとも５つ列挙して示すチェックシート（Ａ）」と、「記録シート（Ｂ）」とで構成されていると特定されているのに対して、
　引用発明は、このような特定を有しない点。
　
＜相違点２＞ 
　補正発明は、「少なくとも一カ月分の日付を記入する欄」の各日付ごとに、「経血量を、少なくとも３段階の棒グラフ状に記入する欄と、基準体重からの体重の変動を±で記入する欄と、上記シート（Ａ）に示された症状のうち自覚した症状の有無を、身体症状と、精神症状と、皮膚症状の３種類に区分して記入できる欄とが設けられている」と特定されているのに対して、
　引用発明は、このような特定を有しない点。
　
＜相違点３＞
　補正発明は、記録シート（Ｂ）に関して、「上記自覚症状の有無を記入する欄の罫線を利用して体温の高さを示す目盛りが付され、基礎体温の変化が折れ線グラフとして記入できるようになっている」と特定されているのに対して、
　引用発明は、このような特定を有しない点。
　
３−４　相違点に係る判断 
（１）相違点１について　
　引用発明が、生体リズムの影響によって女性のからだに周期的に表われる症状を把握するための記入シート以外のシートを有するものではなく、「生体リズム診断セット」と呼び得ないこと、又、生体リズムの影響によって女性のからだに周期的に表われる症状を把握してカウンセリングを行うために用いられることの明示がないことは認める。
　しかし、平成１５年１月２４日付け拒絶理由通知で提示した特開平９−３１３４９２号公報にあるように、生体リズムを用いたカウンセリング自体は、本件出願以前から行われていることであり、この際に、生体リズムを把握するために使用される基礎体温表を診断ツールと位置付けることはきわめて容易に想到できることである。
　また、医者がカウンセリングを行う際に、自覚症状に関する問診を行うことは通常のことであり、この際に、予め各種の自覚症状を記載したチェックシートを用意しておき、患者からの回答を容易に導出することも、一般的に行われていることであるし（実願平２−３８７４１号（実開平３−１２９４７４号）のマイクロフィルム等参照）、化粧品販売においては、肌の健康度チェックシートを用いた対面販売なる、いわばカウンセリング販売が行われていることは、よく知られたことである（実願昭６２−１１１６８３号（実開昭６４−１６３６０号）のマイクロフィルム等参照）。
　してみるに、引用発明に係る基礎体温表を、「生体リズムの影響によって女性のからだに周期的に表われる症状を把握してカウンセリングを行うために用いられる生体リズム診断」に際して用いることは、当業者であれば容易に想到できることである。
　
　また、引用文献１の前記ウ記載にあるように、引用文献１に係る基礎体温表（記録シート）では、第１図の右上部に、月経を×、下腹痛を△、不正出血を▲等の記号で示すことが例示されており、このうち「下腹痛」が生体リズムの影響による典型的な症状に限られず身体に生じる症状に相当することは明らかであるし、生体リズムの影響による典型的な症状として色々な症状が生じることは常識である。
　してみると、既通知の健康関連のチェックシートに係る引用文献２にみられるように、質問が多岐に亘る場合に、質問項目を表示したシートと、回答シートを別シートとするようなことが、必要に応じて適宜に行われていることであるからして、より詳細に症状を把握すべく、相違点１に係る構成のごとくに、記録するシート以外の別シート上に複数の症状を列挙するようにすることは、設計事項である。
　よって、相違点１に係る構成は格別なものとはいえない。
　
（２）相違点２について　
　女性のからだに周期的に表れる症状を把握する上で、経血量が重要な要素であることは明らかであり、これを記録する欄を記録シートに設けることは設計事項である。
　また、引用文献の前記ウ記載にある記号欄に記入する症状に関し、第１図を参照するに、「おりもの」については「−」に縦線を１〜３交差させた記号とすることでその量を表示するように工夫されていることが看取できる。
　よって、経血量を記録するに際して、その量を示すべく少なくとも３段階の棒グラフ状に記入する欄の構成とすることは、当業者であれば要請に応じて適宜になし得た程度のことである。
　さらに、体調を把握する上で体重の変化を参考にすることは一般的であることに鑑みれば、生体リズムを把握する上でこれを参考にすることは自然な発想であるし、基準となる体重値と対比して、差分を記録する程度のことは一般的な手法であって容易想到であるとともに、この際に、「＋」或いは「−」の記号をもって表現することも、当業者であれば当然に想起し得る程度のことである。
　また、相違点２に係る構成においては、シート（Ａ）に示された症状のうち自覚した症状の有無を記入するに際して、身体症状と、精神症状と、皮膚症状の３種類に区分して記入できる欄とされているが、多種の情報を記入する際、また、記入された情報内容を読み取るに際の便宜を考慮すれば、種類別に表記すれば、情報把握が容易となることは常識であり、このように種類別の欄構成とすることは、当業者であれば適宜になし得たことである。
　してみれば、当該相違点２に係る構成とすることは、いずれも当業者であれば容易になし得た程度のことである。
　 
（３）相違点３について　
　当該相違点３に係る記録シート（Ｂ）には、「基礎体温の変化が折れ線グラフとして記入できるようになっている」と特定されている。
　なるほど引用発明においては、基礎体温の変化を折れ線グラフとして記入できるとの明示はないものの、前記ウ記載にあるように、体温欄４の体温表示線１１，１１…で区切られた記入項１０内には、その中央部に縦方向に0.01℃単位で点を施してあり、測定した基礎体温が正確に記入できるものである。
　そして、このようにして記入した、いわば点で表された変化を見やすくするために、隣接する点を結ぶことは、きわめて一般的な手法であるから、引用発明も「基礎体温の変化が折れ線グラフとして記入できるようになっている」といい得るのであって、当該特定をもって実質的な相違があるものとはいえない。
　
　次に、補正発明における「体温の高さを示す目盛」は、「上記自覚症状の有無を記入する欄の罫線を利用して」なるものと特定されることにより、日ごとに用意された基礎体温を記録する欄と、身体症状、精神症状、皮膚症状などを記録する欄とが重なることで、用紙の利用効率を高める効果を生じることは認める。
　しかしながら、スケジュール表のように、日付で区切られた欄を横切るように罫線を付して、異なる項目に係る記録を行えるようにすること（特開平９−１４２０６２号公報、実願昭６２−７１６９４号（実開昭６３−１８０２６５号）のマイクロフィルム等参照）は周知の事項である。
　他方、引用発明の基礎体温表における体温表示線１１，１１…で区切られた欄は、折れ線グラフとして基礎体温が記入される部位以外は空スペースとして存在しており、上記周知の事項に照らして、当該スペースを他の情報を記載する欄として用いることは、当業者であれば容易に想起し得ることである。
　してみれば、日ごとに用意された基礎体温を記録する欄と、身体症状、精神症状、皮膚症状などを記録する欄とを重ねた形態で使用する際に、「上記自覚症状の有無を記入する欄の罫線」に体温を表示し、「体温の高さを示す目盛り」とすることは、当業者であれば適宜になし得た程度のことである。
　
３−５　まとめ
　以上のとおりであり、引用文献１に係る基礎体温表は、これのみをもって直ちに、「生体リズムの影響によって女性のからだに周期的に表われる症状を把握してカウンセリングを行うために用いられる生体リズム診断セット」を構成しているとはいえないものの、前記相違点１〜３のように構成することは、いずれも当業者であれば用途要請に応じて適宜採用し得た程度のことであって、このようにすることで得られる作用効果も充分に想到可能なものでしかない。
　よって、補正発明は、前記引用文献１乃至２の記載事項及び一般的手法に基づいて、当業者が容易に発明をすることができたものといわざるを得ない。
　 
　以上のとおり、補正発明は、特許法第２９条第２項の規定により特許をすることができないものであるから、特許出願の際独立して特許を受けることができないものである。　
　 
［補正の却下の決定のむすび］ 
　本件補正前の請求項１を限定的に減縮した補正発明が特許出願の際独立して特許を受けることができないから、本件補正は、平成１８年改正前特許法第１７条の２第５項において準用する同法第１２６条第５項の規定に違反するので、同法第１５９条第１項の規定において読み替えて準用する同法第５３条第１項の規定により却下すべきものである。 
　よって、補正の却下の結論のとおり決定する。 
　 
第３　本件審判請求についての当審の判断 
１．本願発明の認定 
　本件補正が却下されたから、本願の請求項１に係る発明（以下「本願発明」という。）は、平成１６年３月２５日付け手続補正により補正された明細書の特許請求の範囲【請求項１】（前記「第２　補正の却下の決定」の「１．本件補正の内容及び目的」に示したもの。）に記載されたとおりのものと認める。 
　 
２．本願発明と引用発明との対比・判断 
 （１）引用文献の記載事項 
 　引用文献１には、前記「第２　補正の却下の決定」の「３−１　引用文献１：実願昭６０−３３２６８号（実開昭６１−１４８６６８号）のマイクロフィルムの記載事項」に摘記した記載があり、これから前記引用発明が認定できる。
　
　また、引用文献２には、同じく「３−２　引用文献２：実願昭５８−１９００２１号（実開昭６０−９６６７４号）のマイクロフィルムの記載事項」に摘記した記載がある。
　 
 （２）対比・判断 
 　本願発明は、「第２　補正の却下の決定」における「２．」で認定した補正発明から
「記録シート（Ｂ）」について「月経開始からつぎの月経開始までの日数をカウントする欄」なる限定事項を省いて、「月経の状態」を記入できるようになっているとし、
「基準体重からの体重の変動を±で記入する欄」なる限定事項を省き、
更に、「上記自覚症状の有無を記入する欄の罫線を利用して体温の高さを示す目盛が付され」とする限定事項を省いたものである。 
 　そうすると、実質的に本願発明の発明を特定する事項を全て含み、さらに他の発明を特定する事項を付加したものに相当する補正発明が、前記「第２　補正の却下の決定」における「３．補正発明の独立特許要件の判断」に記載したとおり、引用文献１乃至２の記載事項及び一般的手法に基づいて当業者が容易に発明をすることができたものであるから、同様の理由で、本願発明は、引用文献１乃至２の記載事項及び一般的手法に基づいて当業者が容易に発明をすることができたものであるということができる。 
 　 
 （３）むすび 
 　以上のとおり、本願発明は、引用文献１乃至２の記載事項及び一般的手法に基づいて当業者が容易に発明をすることができたものであるから、特許法第２９条第２項の規定により特許を受けることができないから、他の請求項に係る発明を検討するまでもなく、本願は、拒絶されるべきものである。 
 　よって、結論のとおり審決する。 
　
第４　むすび 
　本件補正は却下されなければならず、本願発明が特許を受けることができない以上、本願は拒絶を免れない。 
　よって、結論のとおり審決する。